(57)【特許請求の範囲】
【請求項１】
牛乳容器、紙コップ、紙皿等の和紙の原料となる紙製品の防水シートがコーティングされた部位にサンドペーパーをかけ、水に漬けて防水シートを除去して和紙の原料を作る和紙の原料製造工程と、この和紙の原料製造工程で製造された和紙の原料から和紙をすく和紙すき液に加工する和紙すき液加工工程と、この和紙すき液加工工程で加工された和紙すき液を浅皿状の容器内に収納する和紙すき液収納工程と、この和紙すき液収納工程後に容器内に吸水シートを配置する吸水シート配置工程と、この吸水シート配置工程後に吸水シートの上面よりスポンヂやタオル等の吸水体により前記容器内の水分を吸水シートを介して吸い取り除去する水分除去工程と、この水分除去工程後に前記容器内に付着あるいは吸水シートに付着した和紙の繊維を乾燥させる乾燥工程とを含むことを特徴とする和紙の製造方法。
【発明の詳細な説明】
【０００１】
【発明の属する技術分野】
本発明は牛乳容器、紙コップ、紙皿等の和紙の原料となる紙製品を再利用して和紙にする和紙の製造方法に関する。
【０００２】
【従来の技術】
従来、牛乳容器等の紙製品を和紙に再利用する場合、牛乳容器等の紙製品を適当な大きさに切断して水に漬け、紙部分がふやけたところで防水シートを除去した後、ミキサーにかけて和紙すき液を形成し、この和紙すき液をすき枠ですいて和紙を作っている。
【０００３】
【発明が解決しようとする課題】
従来の方法では牛乳容器等の紙製品から和紙すき液を形成するまでの、防水シートを除去するまでに長時間かかるという欠点があるとともに、和紙すき液をすき枠を用いて行なうため、和紙すき液が完全になくならず、後処理に苦労するという欠点があった。
【０００４】
本発明は以上のような従来の欠点に鑑み、和紙を作る場合に生ずる残りの和紙すき液をなくして、後処理を容易にできるとともに、短時間に和紙すき液を作ることができる和紙の製造方法を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は牛乳容器、紙コップ、紙皿等の和紙の原料となる紙製品の防水シートがコーティングされた部位にサンドペーパーをかけ、水に漬けて防水シートを除去して和紙の原料を作る和紙の原料製造工程と、この和紙の原料製造工程で製造された和紙の原料から和紙をすく和紙すき液に加工する和紙すき液加工工程と、この和紙すき液加工工程で加工された和紙すき液を浅皿状の容器内に収納する和紙すき液収納工程と、この和紙すき液収納工程後に容器内に吸水シートを配置する吸水シート配置工程と、この吸水シート配置工程後に吸水シートの上面よりスポンヂやタオル等の吸水体により前記容器内の水分を吸水シートを介して吸い取り除去する水分除去工程と、この水分除去工程後に前記容器内に付着あるいは吸水シートに付着した和紙の繊維を乾燥させる乾燥工程とで和紙の製造方法を構成している。
【０００７】
【発明の実施の形態】
以下、図面に示す実施の形態により、本発明を詳細に説明する。
【０００８】
図１ないし図７に示す本発明の第１の実施の形態において、１は和紙の原料２を作る和紙の原料製造工程で、この和紙の原料製造工程１は図２に示すように、使用された牛乳容器、紙コップ、紙皿等の和紙の原料となる紙製品３の防水シート４でコーティングされた部位にサンドペーパー５をかけて多数の傷をつけるサンドペーパー処理工程６と、このサンドペーパー処理工程６を経た紙製品３をそのまま、あるいは適当な大きさに切断してバケツ等の容器７に収納した水８に漬けてふやかせるふやかせ工程９と、このふやかせ工程９後に防水シート４を除去する防水シート除去工程１０とで構成されている。
【０００９】
１１は前記和紙の原料製造工程１で製造された和紙の原料２から和紙をすく和紙すき液１２に加工する和紙すき液加工工程で、この和紙すき液加工工程１１は図３に示すように、和紙の原料２を水に漬けてふやかせたものをミキサー１３にかけて繊維状にする。
【００１０】
１４は図４に示すように、前記和紙すき液加工工程１１で加工された和紙すき液１２よくかき混ぜ、コップ１５等ですくって弁当箱、皿、合成樹脂容器等の浅皿状の容器１６内に収納する和紙すき液収納工程で、この和紙すき液収納工程１４で使用される容器１６は、作りたい和紙の大きさの寸法を有する水を収納することができる容器であれば、どんなものであってもよい。
【００１１】
１７は図５に示すように、前記和紙すき液収納工程１４後に前記容器１６内に吸水シート１８を配置する吸水シート配置工程で、この吸水シート配置工程１７で吸水シート１８を配置する場合には、容器１６内の和紙すき液１２の和紙の繊維が均一になるようにかき混ぜた状態で行なう。
また、使用する吸水シート１８は水が通過するもので表面が平坦なものであれば、どんなものであってもよいが、ふきん等に使用されている布地や使用済のストッキング等の布地は入手が容易であるので、使用するとよい。
【００１２】
１９は図６に示すように、前記吸水シート配置工程１７後に吸水シート１８の上面よりスポンヂやタオル等の吸水体２０により、前記容器１６内の水分を吸水シート１８を介して吸い取り除去する水分除去工程で、この水分除去工程１９は吸水シート１８がずれないように吸水体２０を容器１６の内底面に押し付けるようにして行なう。
【００１３】
２１は図７に示すように、水分除去工程１９後に前記容器１６内に付着あるいは吸水シート１８に付着した和紙の繊維を乾燥させる乾燥工程で、この乾燥工程２１は容器１６に付着している場合には天日乾燥で乾燥させた後、アイロンをかけて完全に乾燥させる。
また、吸水シート１８に付着した場合には、アイロンを直接かけて乾燥させたり、天日乾燥後にアイロンをかけて完全に乾燥させてもよい。
【００１４】
【発明の異なる実施の形態】
次に、図８ないし図１１に示す本発明の異なる実施の形態につき説明する。なお、これらの本発明の異なる実施の形態の説明に当って、前記本発明の第１の実施の形態と同一構成部分には同一符号を付して重複する説明を省略する。
【００１５】
図８および図９に示す本発明の第２の実施の形態において、前記本発明の第１の実施の形態と主に異なる点は、あらかじめ用意された和紙の原料２Ａを用いて和紙をすく和紙すき液１２に加工する和紙すき液加工工程１１Ａを行なった点で、このような和紙すき液加工工程１１Ａを用いて和紙を製造してもよい。
【００１６】
図１０および図１１に示す本発明の第３の実施の形態において、前記本発明の第１の実施の形態と主に異なる点は、和紙すき液収納工程１４後に、容器１６の和紙すき液１２内に押葉や草花等の飾り２２を配置する飾り配置工程２３を行なった点で、このような飾り配置工程２３を行なって和紙を製造してもよい。
【００１７】
【発明の効果】
以上の説明から明らかなように、本発明にあっては次に列挙する効果が得られる。
【００１８】
（１）牛乳容器、紙コップ、紙皿等の和紙の原料となる紙製品の防水シートがコーティングされた部位にサンドペーパーをかけ、水に漬けて防水シートを除去して和紙の原料を作る和紙の原料製造工程と、この和紙の原料製造工程で製造された和紙の原料から和紙をすく和紙すき液に加工する和紙すき液加工工程と、この和紙すき液加工工程で加工された和紙すき液を浅皿状の容器内に収納する和紙すき液収納工程と、この和紙すき液収納工程後に容器内に吸水シートを配置する吸水シート配置工程と、この吸水シート配置工程後に吸水シートの上面よりスポンヂやタオル等の吸水体により前記容器内の水分を吸水シートを介して吸い取り除去する水分除去工程と、この水分除去工程後に前記容器内に付着あるいは吸水シートに付着した和紙の繊維を乾燥させる乾燥工程とからなるので、従来のようにすき枠を用いて和紙を作る場合のように和紙すき液が残って後処理に苦労するのを防止することができる。
したがって、再利用で残った和紙すき液をそのまま排出してしまうような不具合を確実に防止することができる。
【００１９】
（２）前記（１）によって、容器や吸水シート、吸水体は身近にあるものを使用することができるので、気軽に和紙作りを楽しむことができる。
【００２０】
（３）前記（１）によって、使用する容器によって、異なる形状や模様の和紙を作ることができ、すき枠を用いる場合に比べて創作を楽しむことができる。
【００２１】
（４）前記（１）によって、防水シートがコーティングされた紙製品から和紙の原料を取り出す時間が短縮され、短時間に和紙作りを楽しむことができる。
【図面の簡単な説明】
【図１】本発明の第１の実施の形態の工程図。
【図２】本発明の第１の実施の形態の和紙の原料製造工程の説明図。
【図３】本発明の第１の実施の形態の和紙すき液加工工程の説明図。
【図４】本発明の第１の実施の形態の和紙すき液収納工程の説明図。
【図５】本発明の第１の実施の形態の吸水シート配置工程の説明図。
【図６】本発明の第１の実施の形態の水分除去工程の説明図。
【図７】本発明の第１の実施の形態の乾燥工程の説明図。
【図８】本発明の第２の実施の形態の工程図。
【図９】本発明の第２の実施の形態の和紙すき液加工工程の説明図。
【図１０】本発明の第３の実施の形態の工程図。
【図１１】本発明の第３の実施の形態の飾り配置工程の説明図。
【符号の説明】
１：和紙の原料製造工程、２、２Ａ：和紙の原料、
３：紙製品、            ４：防水シート、
５：サンドペーパー、
６：サンドペーパー処理工程、
７：バケツ、            ８：水、
９：ふやかせ工程、      １０：防水シート除去工程、
１１、１１Ａ：和紙すき液加工工程、
１２：和紙すき液、      １３：ミキサー、
１４：和紙すき液収納工程、
１５：コップ、          １６：容器、
１７：吸水シート配置工程、
１８：吸水シート、      １９：水分除去工程、
２０：吸水体、          ２１：乾燥工程、
２２：飾り、            ２３：飾り配置工程。
【図１】
0004118421.tif 000002
【図２】
0004118421.tif 000003
【図３】
0004118421.tif 000004
【図４】
0004118421.tif 000005
【図５】
0004118421.tif 000006
【図６】
0004118421.tif 000007
【図７】
0004118421.tif 000008
【図８】
0004118421.tif 000009
【図９】
0004118421.tif 000010
【図１０】
0004118421.tif 000011
【図１１】
0004118421.tif 000012